(57)【特許請求の範囲】
【請求項１】
自動販売機等の設置対象機器に対する所定の振動を検知する振動センサと、
設置対象機器の前方所定角度範囲を撮影して画像データを出力するカメラと、
前記振動センサからの検知信号を受けて、検知時点前後の所定時間の前記カメラからの画像データを記録する記録装置と、を備え、
設置対象機器に対する加振前後の撮影画像を記録する防犯監視装置であって、
前記カメラは、設置対象機器の前扉に取り付けられる錠装置において錠前が組み込まれる本体内部の当該錠前に隣接する余剰空間に収容され、本体の前面を貫通する開口に視野を向けて固定され、
前記記録装置は設置対象機器内の、錠装置から離れた位置に設けられることを特徴とする防犯監視装置。
【発明の詳細な説明】
【技術分野】
【０００１】
本発明は、自動販売機、精算機や車両の貨物室等の設置対象機器を破壊して商品や金銭を窃取する行為を監視する監視装置に関する。
【背景技術】
【０００２】
従来、例えば自動販売機の盗難監視装置として、自動販売機の振動を検知する振動センサと、自動販売機の商品見本設置部内に配置され、自動販売機の前方を動画あるいは静止画として撮影するカメラと、カメラの撮影画像を記録する画像記録装置とを備えたものがある（特許文献１参照）。この監視装置は、振動センサが、自動販売機に所定以上の振動が加えられたことを検知すると、カメラが起動して撮影を開始する。
【先行技術文献】
【特許文献】
【０００３】
【特許文献１】特開２００８−０６５４２７号公報
【発明の開示】
【発明が解決しようとする課題】
【０００４】
上記従来の監視装置においては、カメラを自動販売機の商品見本設置部に設置するので、自動販売機の当該部分に加工を施す必要があり、商品の変更に伴う当該部分のデザイン変更の都度同じ加工を施す必要があり、設置が比較的大がかりになり易い。また、振動センサが振動を検知してから撮影が開始されるので、事前の映像が残らず、人物やその行為の特定に十分ではない。さらに、カメラによる撮影の停止処理が考慮されておらず、撮影が長時間にわたると、データ量が大きくなって、その後の影像確認の作業に手間がかかる。
そこで、本発明は、簡易な構成で、錠装置の本体内部に組み込まれることで簡単に設置でき、外観上装置の存在を認識しにくく、自動販売機等の設置対象機器の破壊行為を、その前後にわたって、明確に撮影でき、影像確認の容易な監視装置を提供するものである。
【課題を解決するための手段】
【０００５】
上記課題を解決するための本発明に係る監視装置は、自動販売機３１等の設置対象機器に対する破壊行為による振動を検知する振動センサ２と、設置対象機器の前方所定角度範囲を撮影するカメラ６と、振動センサ２からの検知信号を受けて、検知時点前後の所定時間におけるカメラ６の撮影画像のデータを記録する記録装置とを備える。カメラ６は、設置対象機器３１の前扉３２に取り付けられる錠装置３３の本体内部に設ける。記録装置は、設置対象機器内の、錠装置３３から離れた位置に設ける。
【発明の効果】
【０００６】
本発明においては、カメラを扉の錠装置内に組み入れるので、錠装置ごと既存のものと交換でき、設置が容易であるし、自動販売機のような設置対象機器に対する複雑な加工を必要としない。設置対象機器の振動前後の所定時間の撮影画像を記録するので、設置対象機器に対する一連の破壊行為及び加害者の容貌等を特定できるように確実に記録できる。振動検知時点の前後の所定時間のみの影像が記録されるので、事後の不必要な影像記録が継続することがなく、影像データの確認が容易になるし、小さい記録容量の記録装置を適用できる。記録装置は、設置対象機器内の、錠装置から離れた位置に設けられるので、カメラを破壊されても画像データは安全に保存できる。
【図面の簡単な説明】
【０００７】
【図１】本発明に係る監視装置のブロック図である。
【図２】本発明の実施形態の説明図である。
【図３】本発明の他の実施形態の説明図である。
【発明を実施するための形態】
【０００８】
図面を参照して本発明の実施の一形態を説明する。
図１において、監視装置１は、自動販売機等の設置対象機器の振動を検知する振動センサ２と、振動センサ２の感度調整アンプ３と、自動販売機の前方を影像、録画する録画ユニット４とを具備する。
【０００９】
設置対象機器が自動販売機である場合、振動センサ２は、前扉内側に貼着される。例えば、金銭窃取のために前扉への破壊行為が行われると、振動センサ２が振動を検知して、電気的に検出信号を出力する。この検出信号は、感度調整アンプ３を介して増幅・フィルタリング処理され、所定の振幅以上のもののみ出力される。
【００１０】
録画ユニット４は、機器の前方所定角度範囲を動画として撮影、録画するもので、カメラ６と、アンプ３に電気的に接続される本体７とを具備する。カメラ６は、小型のＣＣＤカメラを用いる。
【００１１】
図２には、自動販売機の前扉に装着されるポップアウト形のロックハンドル装置１１にカメラ６を組み込んだ実施形態を示す。図２において、錠装置としてのロックハンドル装置１１は、扉Ｄに固着される本体１２と、ハンドル１３とを具備する。
【００１２】
ハンドル１３は、図に示す施錠状態において、本体１２へ押し込まれ、前面が本体１２の前面と連続した平面となっているが、錠前１４をキーで解錠することにより、ばね力で本体１２から突出し、回転操作が可能となる。ハンドル１３の回転操作により扉Ｄの止め金を外し、これを開閉する。
【００１３】
本体１２は、箱状で、前方が前面板１５で閉じ、後方に開放する。本体１２は、上部にハンドル１３の軸部を受ける前後方向の軸受け筒部１６を有し、その下部には空間１７を具備する。空間１７は、開口１８を有する前面板１５を隔てて錠止状態のハンドル１３の下部に対面する。ハンドル１３の下部には、開口１８と対向する位置に開口１９が形成される。
【００１４】
カメラ６は、本体１２の空間１７内において、開口１８に嵌合し、視野を開口１９に向けるように固定される。したがって、カメラ６は、ハンドル１３の開口１９を通して、自動販売機の前方所定角度の範囲を撮影可能である。
【００１５】
図１に示すように、カメラ６は、常時影像を本体７に出力する。本体７は、自動販売機内の、ロックハンドル装置１１から離れた部位に取り付けられる。本体７は、制御部７ａとドライブ７ｂとを備えている。制御部７ａは、カメラ６からの動画像を所定の時間間隔ごとに分割して逐次取り込み、所定数に達したら、古いデータから新しいデータに順次更新処理する一方、振動センサ２からの振動検出信号を受けたら、所定時間後に記録動作を停止処理する。ドライブ７ｂは、カメラ６の影像を静止画像のデータとしてＳＤカードなどの市販の記録媒体８に記録する記録装置である。
【００１６】
図３には、車両の貨物室やコンテナの観音開き式扉において扉開閉用ハンドルを扉閉鎖位置に拘束するのに使用される掛金装置２１にカメラ６を組み込んだ実施形態を示す。  
【００１７】
図３において、錠装置としての掛金装置２１は、扉Ｄに固着される本体２２と、フックレバー２３とを具備する。フックレバー２３は、図に示す施錠状態において、扉Ｄと平行に起立しており、扉開閉用ハンドルＤＨを本体２２との間で保持しており、扉Ｄを開閉操作することができない。権限者がキーで錠前２４を解錠することにより、フックレバー２３が転倒してハンドルＤＨが解放される。本体２２は、鎖錠機構部２６の下方に、外殻２５で閉じた空間２７を具備する。外殻２５は、前方に開く開口２８を有する。
【００１８】
カメラ６は、本体２２の空間２７内において、視野を開口２８に向けて固定され、開口２８を通して、貨物室の前方所定角度の範囲を撮影可能である。
【００１９】
この監視装置１においては、カメラ６が常時設置対象機器の前方を撮影し、この影像を所定時間間隔の動画の画像データとしてドライブ７ｂで記録媒体８に逐次記録していく。金銭や物品窃取のために設置対象機器の扉への破壊行為が行われると、この振動を振動センサ２が検知し、検知信号をアンプ３を介して録画ユニット４に送る。録画ユニット４の制御部７ａは、検知信号を受けたら所定時間後に記録動作を停止する。記録媒体８には事前の映像を含む破壊行為の動画像データが記録されているので、一連の行為及び加害者を特定できる。
【符号の説明】
【００２０】
１    監視装置
２    振動センサ
４    録画ユニット
６    カメラ
７    本体
７ａ  制御部
７ｂ  ドライブ
８    記録媒体
１１  ロックハンドル装置
２１  掛金装置
【図１】
0005564313.tif 000002
【図２】
0005564313.tif 000003
【図３】
0005564313.tif 000004